(57)【要約】【課題】現像剤保持体を清掃する際に現像剤保持体の端部に生じる虞がある清掃不良を抑制することができる清掃装置及び画像形成装置を提供する。【解決手段】画像形成装置１０は、清掃装置３００を有し、清掃装置３００は、中間転写体５２に対して接触し、中間転写体５２を清掃する清掃部材３１０と、中間転写体５２の移動方向と交わる方向において中間転写体５２の端部よりも内側に回収口３０６を有し、中間転写体５２により除去された現像剤を回収する回収部３０２と、中間転写体５２の移動方向と交わる方向において、清掃部材３１０の端部３１２及び中間転写体５２の端部よりも一端３４４が外側にあって、他端３４６が清掃部材３１０の内側にあり、現像剤を回収口３０６へ案内する案内部材３４０とを有する。【選択図】図５
2012022077.tif 000002
【特許請求の範囲】
【請求項１】
現像剤を保持する現像剤保持体に対して前記現像剤保持体の移動方向と交わる方向で接触し、前記現像剤保持体から現像剤を除去して前記現像剤保持体を清掃する清掃部材と、
前記現像剤保持体の移動方向と交わる方向において前記現像剤保持体の端部よりも内側に回収口を有し、該回収口を介して前記清掃部材により除去された現像剤を回収する回収部と、
前記現像剤保持体の移動方向と交わる方向において、前記清掃部材の端部及び前記現像剤保持体の端部よりも一端が外側にあって、他端が前記清掃部材の内側にあり、現像剤を前記回収口へ案内する案内部材と、
を有する清掃装置。
【請求項２】
前記現像剤保持体は、現像剤を保持する領域である保持領域を有し、
前記案内部材は、前記現像剤保持体の移動方向と交わる方向において、前記他端が前記保持領域の内側にある請求項１記載の清掃装置。
【請求項３】
前記回収口は、前記現像剤保持体の移動方向と交わる方向において、前記保持領域の内側にある請求項２記載の清掃装置。
【請求項４】
前記案内部材は、前記現像剤保持体の移動方向において、前記現像剤保持体が保持する現像剤を記録媒体に転写する転写装置よりも下流側であって、前記清掃部材よりも上流側に位置する請求項１乃至３いずれか記載の清掃装置。
【請求項５】
前記案内部材は、現像剤を案内し、前記現像剤保持体の移動方向に対して傾斜して配置されている案内面を有する請求項１乃至４いずれか記載の清掃装置。
【請求項６】
前記案内部材は、前記現像剤保持体と前記回収部との隙間を封止する封止部材として兼用されている請求項１乃至５いずれか記載の清掃装置。
【請求項７】
前記案内部材は、前記現像剤保持体の移動方向と交わる方向に前記現像剤保持体が移動した場合であっても、前記現像剤保持体の移動方向と交わる方向において、前記清掃部材の端部及び前記現像剤保持体の端部よりも一端が外側にあって、他端が前記清掃部材の内側にある請求項１乃至６いずれか記載の清掃装置。
【請求項８】
前記案内部材は、前記現像剤保持体の移動方向と交わる方向に前記保持領域が移動した場合であっても、前記現像剤保持体の移動方向と交わる方向において、前記他端が前記保持領域の内側にある請求項２乃至７いずれか記載の清掃装置。
【請求項９】
現像剤を保持する現像剤保持体と、
前記現像剤保持体を清掃する清掃装置と、
を有し、
前記清掃装置は、
前記現像剤保持体に対して前記現像剤保持体の移動方向と交わる方向で接触し、前記現像剤保持体から現像剤を除去して前記現像剤保持体を清掃する清掃部材と、
前記現像剤保持体の移動方向と交わる方向において前記現像剤保持体の端部よりも内側に回収口を有し、該回収口を介して前記清掃部材により除去された現像剤を回収する回収部と、
前記現像剤保持体の移動方向と交わる方向において、前記清掃部材の端部及び前記現像剤保持体の端部よりも一端が外側にあって、他端が前記清掃部材の内側にあり、現像剤を前記回収口へ案内する案内部材と、
を有する画像形成装置。
【発明の詳細な説明】
【技術分野】
【０００１】
本発明は、清掃装置及び画像形成装置に関する。
【背景技術】
【０００２】
特許文献１には、電子写真式の画像形成装置において、クリーニング部材とクリーニングサイドシールの境界部分の、感光体回転方向に対して下流側のクリーニング部材と現像装置の間に、トナー漏れをクリーニングする第２のクリーニング部材を有する画像形成装置が開示されている。
【０００３】
特許文献２には、トナー画像転写用のエンドレスベルトを張架するローラ端部に配置した突き当て部材によりエンドレスベルトの寄りを規制するベルト駆動装置と、前記突き当て部材と前記エンドレスベルトとの接触部近傍にて、該エンドレスベルト外周面を押さえる押さえ部材と、前記エンドレスベルト上の残トナーを取り除くクリーニング部材とを備え付けた転写ベルト装置において、前記押さえ部材よりも前記エンドレスベルトの移動方向上流側に、漏れトナー回避部材を配置してなる転写ベルト装置が開示されている。
【先行技術文献】
【特許文献】
【０００４】
【特許文献１】特開２００２−１６９４４２号公報
【特許文献２】特開２００９−１２８４１５号公報
【発明の概要】
【発明が解決しようとする課題】
【０００５】
本発明は、現像剤保持体を清掃する際に現像剤保持体の端部に生じる虞がある清掃不良を抑制することができる清掃装置及び画像形成装置を提供することを目的とする。
【課題を解決するための手段】
【０００６】
請求項１に係る本発明は、現像剤を保持する現像剤保持体に対して前記現像剤保持体の移動方向と交わる方向で接触し、前記現像剤保持体から現像剤を除去して前記現像剤保持体を清掃する清掃部材と、前記現像剤保持体の移動方向と交わる方向において前記現像剤保持体の端部よりも内側に回収口を有し、該回収口を介して前記清掃部材により除去された現像剤を回収する回収部と、前記現像剤保持体の移動方向と交わる方向において、前記清掃部材の端部及び前記現像剤保持体の端部よりも一端が外側にあって、他端が前記清掃部材の内側にあり、現像剤を前記回収口へ案内する案内部材と、を有する清掃装置である。
【０００７】
請求項２に係る本発明は、前記現像剤保持体は、現像剤を保持する領域である保持領域を有し、前記案内部材は、前記現像剤保持体の移動方向と交わる方向において、前記他端が前記保持領域の内側にある請求項１記載の清掃装置である。
【０００８】
請求項３に係る本発明は、前記回収口は、前記現像剤保持体の移動方向と交わる方向において、前記保持領域の内側にある請求項２記載の清掃装置である。
【０００９】
請求項４に係る本発明は、前記案内部材は、前記現像剤保持体の移動方向において、前記現像剤保持体が保持する現像剤を記録媒体に転写する転写装置よりも下流側であって、前記清掃部材よりも上流側に位置する請求項１乃至３いずれか記載の清掃装置である。
【００１０】
請求項５に係る本発明は、前記案内部材は、現像剤を案内し、前記現像剤保持体の移動方向に対して傾斜して配置されている案内面を有する請求項１乃至４いずれか記載の清掃装置である。
【００１１】
請求項６に係る本発明は、前記案内部材は、前記現像剤保持体と前記回収部との隙間を封止する封止部材として兼用されている請求項１乃至５いずれか記載の清掃装置である。
【００１２】
請求項７に係る本発明は、前記案内部材は、前記現像剤保持体の移動方向と交わる方向に前記現像剤保持体が移動した場合であっても、前記現像剤保持体の移動方向と交わる方向において、前記清掃部材の端部及び前記現像剤保持体の端部よりも一端が外側にあって、他端が前記清掃部材の内側にある請求項１乃至６いずれか記載の清掃装置である。
【００１３】
請求項８に係る本発明は、前記案内部材は、前記現像剤保持体の移動方向と交わる方向に前記保持領域が移動した場合であっても、前記現像剤保持体の移動方向と交わる方向において、前記他端が前記保持領域の内側にある請求項２乃至７いずれか記載の清掃装置である。
【００１４】
請求項９に係る本発明は、現像剤を保持する現像剤保持体と、前記現像剤保持体を清掃する清掃装置と、を有し、前記清掃装置は、前記現像剤保持体に対して前記現像剤保持体の移動方向と交わる方向で接触し、前記現像剤保持体から現像剤を除去して前記現像剤保持体を清掃する清掃部材と、前記現像剤保持体の移動方向と交わる方向において前記現像剤保持体の端部よりも内側に回収口を有し、該回収口を介して前記清掃部材により除去された現像剤を回収する回収部と、前記現像剤保持体の移動方向と交わる方向において、前記清掃部材の端部及び前記現像剤保持体の端部よりも一端が外側にあって、他端が前記清掃部材の内側にあり、現像剤を前記回収口へ案内する案内部材と、を有する画像形成装置である。
【発明の効果】
【００１５】
請求項１に係る本発明によれば、現像剤保持体を清掃する際に現像剤保持体の端部に生じる虞がある清掃不良を抑制することができる清掃装置を提供することができる。
【００１６】
請求項２に係る本発明によれば、請求項１に係る本発明が奏する効果を奏することに加えて、保持領域が保持する現像剤を清掃する際に生じる虞がある清掃不良を抑制することができる清掃装置を提供することができる。
【００１７】
請求項３に係る本発明によれば、請求項２に係る本発明が奏する効果を奏することに加えて、本構成を有しない場合と比較して、現像剤保持体の移動方向と交わる方向において小型化することができる清掃装置を提供することができる。
【００１８】
請求項４に係る本発明によれば、請求項１乃至３いずれかに係る本発明が奏する効果を奏することに加えて、本構成を有しない場合と比較して、現像剤保持体から記録媒体に現像剤が付着することによる記録媒体の汚れの発生を抑制することができる清掃装置を提供することができる。
【００１９】
請求項５に係る本発明によれば、請求項１乃至４いずれかに係る本発明が奏する効果を奏することに加えて、本構成を有しない場合と比較して、装置の構成を簡単にすることができる清掃装置を提供することができる。
【００２０】
請求項６に係る本発明によれば、請求項１乃至６いずれかに係る本発明が奏する効果を奏することに加えて、本構成を有しない場合と比較して、部品点数を低減することができる清掃装置を提供することができる。
【００２１】
請求項７に係る本発明によれば、請求項１乃至６いずれかに係る本発明が奏する効果を奏することに加えて、現像剤保持体の移動方向と交わる方向に現像剤保持体が移動した場合であっても、現像剤保持体を清掃する際に現像剤保持体の端部に生じる虞がある清掃不良を抑制することができる清掃装置を提供することができる。
【００２２】
請求項８に係る本発明によれば、請求項２乃至７いずれかに係る本発明が奏する効果を奏することに加えて、現像剤保持体の移動方向と交わる方向に保持領域が移動した場合であっても、保持領域が保持する現像剤を清掃する際に生じる虞がある清掃不良を抑制することができる清掃装置を提供することができる。
【００２３】
請求項９に係る本発明によれば、現像剤保持体を清掃する際に現像剤保持体の端部に生じる虞がある清掃不良を抑制することができる画像形成装置を提供することができる。
【図面の簡単な説明】
【００２４】
【図１】本発明の実施形態に係る画像形成装置を正面から示す断面図である。
【図２】図１に示す画像形成装置が有する像形成部を正面から示す断面図である。
【図３】図１に示す画像形成装置が有する中間転写体用の清掃装置を正面から示す断面図である。
【図４】図３に示す中間転写体用の清掃装置を示す斜視図である。
【図５】図３に示す中間転写体用の清掃装置を図３における矢印Ａ−Ａ方向から示す図である。
【発明を実施するための形態】
【００２５】
次に、本発明を実施するための形態を図面を参照して説明する。
図１には、本発明の形実施形態に係る画像形成装置１０が示されている。図１に示されるように、画像形成装置１０は、画像処理部１６と、制御部１８とを有する。画像処理部１６は、例えばパーソナルコンピュータ（ＰＣ）、図示しない画像読取装置等から送られてくる画像データに対して、必要に応じて、シェーディング補正、位置ズレ補正、明度／色空間変換、ガンマ補正、枠消し、色／移動編集等の予め定められた画像処理を施す。制御部１８は、画像形成装置１０全体の動作を制御する。
【００２６】
また、画像形成装置１０は、４つの像形成部２２Ｙ、２２Ｍ、２２Ｃ、２２Ｋと、転写装置５０と、給紙装置１００と、定着装置２００と、中間転写体用の清掃装置３００とを有する。また、画像形成装置１０内には用紙の搬送に用いられる搬送路４００が形成され、画像形成装置１０の上部が、画像形成がなされた用紙が排出される排出部１２として用いられている。
【００２７】
像形成部２２Ｙ、２２Ｍ、２２Ｃ、２２Ｋは、それぞれが感光体ドラム２４Ｙ、２４Ｍ、２４Ｃ、３４Ｋを有し、それぞれがイエローの現像剤を用いてイエローの現像剤像を形成し、マゼンタの現像剤を用いてマゼンタの現像剤像を形成し、シアンの現像剤像を用いてシアンの現像剤像を形成し、黒の現像剤を用いて黒の現像剤像を形成する。像形成部２２Ｙ、２２Ｍ、２２Ｃ、２２Ｋの詳細は後述する。
【００２８】
転写装置５０は、中間転写体５２と、１次転写装置５４Ｙ、５４Ｍ、５４Ｃ、５４Ｋと、２次転写装置５８と有する。中間転写体５２は、現像剤を保持する現像剤保持体として用いられていて、この実施形態においては、ベルト形状を有し、無端状であり複数の支持ロール６２、６４に回転することができるように支持されている。また、中間転写体５２の内側には、中間転写体用の清掃装置３００の一部をなすバックアップロール３０８が設けられている。
【００２９】
複数の支持ロール６２、６４のうちの少なくとも１つは、中間転写体５２に駆動を伝達する駆動ロールとして用いられていて、図を省略する駆動伝達機構等を介して、例えばモータ等の図示を省略する駆動源からの駆動が伝達され、駆動が伝達されることにより回転して中間転写体５２を回転させる。この実施形態では、支持ロール６４が駆動伝達ロールとして用いられている。また、複数の支持ロール６２、６４のうちの少なくとも１つは、中間転写体５２にテンションを付与するテンションロールとして用いられていて、この実施形態では、支持ロール６２がテンションロールとして用いられている。
【００３０】
１次転写装置５４Ｙ、５４Ｍ、５４Ｃ、５４Ｋは、１次転写バイアスが印加される１次転写ロール５６Ｙ、５６Ｍ、５６Ｃ、５６Ｋ（図２参照）をそれぞれに有し、感光体ドラム２４Ｙ、２４Ｍ、２４Ｃ、２４Ｋの表面に形成された現像剤からなる像を、中間転写体５２に転写する。
【００３１】
２次転写装置５８は、２次転写ロール６０を有し、中間転写体５２が保持する現像剤を用紙に転写する転写装置として用いられている。
【００３２】
定着装置２００は、用紙を加熱する加熱ロール２０２と、加熱ロール２０２に用紙を加圧する加圧ロール２０４とを有する。
【００３３】
給紙装置１００は、記録媒体として用いられる用紙を積層した状態で収納する、例えば１つの用紙収納部１０２と、用紙収納部１０２に収納された用紙を送り出す送り出しロール１０４と、用紙が重なった状態で送り出されることを防止するために用いられるリタードロール１０６とを有する。
【００３４】
搬送路４００は、主搬送路４０２と、反転搬送路４０４とを有する。主搬送路４０２は、給紙装置１００から２次転写装置５８に向けて用紙を搬送し、２次転写装置５８から排出部１２へ排出するように用紙を搬送する搬送路である。主搬送路４０２に沿って、用紙搬送方向における上流側から順に、先述の給紙装置１００、レジストロール４１０、先述の２次転写装置５８、先述の定着装置２００、及び排出ロール４１２が設けられている。
【００３５】
レジストロール４１０は、２次転写装置５８に向けて搬送される用紙の先端部の２次転写装置５８側に向けての移動を一時的に停止させ、中間転写体５２の現像剤像が転写された部分が２次転写装置５８の位置に到達するタイミングに合致するように、用紙の先端部の２次転写装置５８に向けての移動を再開させる。
【００３６】
排出ロール４１２は、定着装置２００で現像剤像が定着された用紙を排出部１２に向けて搬送する。また、排出ロール４１２は、用紙を排出部１２へ排出する方向と、排出部１２側から反転搬送路４０４に用紙を搬送する方向との両方向に回転することができるようになっている。
【００３７】
反転搬送路４０４は、一方の面に画像が形成された用紙を反転させるために用いられる搬送路であり、排出ロール４１２からレジストロール４１０の上流側に用紙を搬送する。反転搬送路４０４に沿って、例えば２つの反転搬送ロール４１４、４１４が設けられている。また、排出ロール４１２と定着装置２００との間には、用紙を案内する案内部材４１６が設けられている。案内部材４１６は、定着装置２００から排出ロール４１２に向けて用紙を案内する位置と、排出ロール４１２から反転搬送路４０４へ向けて用紙を案内する位置との間で移動することができるようになっている。
【００３８】
一方の面に画像が形成された用紙の他方の面に画像を形成する場合は、画像が形成された用紙の後端部に排出ロール４１２が接触した状態で排出ロール４１２が逆方向に回転し、この回転により用紙を後端側から反転搬送路４０４へと案内し、用紙をレジストロール４１０へと搬送する。
【００３９】
中間転写体用の清掃装置３００は、中間転写体５２の表面から現像剤を除去する清掃装置として用いられていて、中間転写体５２の移動方向（回転方向）において、２次転写装置５８よりも下流側であって、同方向において最も上流側にある１次転写装置５４Ｙよりも、同方向において上流側の位置に配置されている。中間転写体用の清掃装置３００の詳細は後述する。
【００４０】
図２には、像形成部２２Ｙが示されている。像形成部２２Ｍ、像形成部２２Ｃ、像形成部２２Ｋは、用いる現像剤の色が異なるものの、以下に説明をする像形成部２２Ｙと構成が同一であるため説明を省略する。
【００４１】
図２に示すように、像形成部２２Ｙは、先述の感光体ドラム２４Ｙと、帯電装置３０Ｙと、潜像形成装置３２Ｙと、現像装置３４Ｙと、感光体ドラム用の清掃装置３８Ｙと有する。帯電装置３０Ｙは、例えば帯電ロールを有し、感光体ドラム２４Ｙの表面を均一に帯電する。潜像形成装置３２Ｙとしては、ＬＥＤアレイが用いられている。潜像形成装置３２Ｙは、帯電装置３０Ｙによって均一に帯電された感光体ドラム２４Ｙの表面に光を照射することによって、感光体ドラム２４Ｙの表面に潜像を形成する。
【００４２】
現像装置３４Ｙは、現像剤保持体として用いられる現像ロール３６Ｙを有し、現像ロール３６Ｙでイエローの現像剤を感光体ドラム２４Ｙに供給し、感光体ドラム２４Ｙの表面に形成された潜像をイエローの現像剤によって現像する。感光体ドラム用の清掃装置３８Ｙは、例えば板状の清掃部材を有し、この清掃部材で、イエローの現像剤像が中間転写体５２に転写された後に感光体ドラム２４Ｙの表面に残留したイエローの現像剤を掻き落とすようにして、感光体ドラム２４Ｙを清掃する。
【００４３】
図３、図４、及び図５には、中間転写体用の清掃装置３００が示されている。図３及び図５に示す矢印ａは、中間転写体５２が保持する現像剤を搬送する際に移動する方向である中間転写体５２の移動方向を示している。また、図５における二点鎖線５３の内側に領域は、中間転写体５２の表面における画像領域を示している。ここで画像領域とは、中間転写体５２の現像剤を保持する領域であり、画像を形成する際に、感光体ドラム２４Ｙ、２４Ｍ、２４Ｃ、２４Ｋから現像剤像が転写される領域である。以下、二点鎖線５３の内側の領域を画像領域５３とする。また、図５においては、後述する支持部材３１８、封止部材３２０、及び搬送部材３３０を取り外し、後述する清掃部材３１０を取り付けられるべき場所に配置した状態にある中間転写体用の清掃装置３００が示されている。
【００４４】
図３及び図４に示されるように、清掃装置３００は、先述のバックアップロール３０８と、現像剤が回収される回収部３０２と、清掃部材３１０と、封止部材３２０と、搬送部材３３０と、例えば２つの案内部材３４０とを有する。
【００４５】
回収部３０２には、回収部３０２内から現像剤を排出するために用いられる排出孔３０４が形成されている。また、回収部３０２には、現像剤を回収するための回収口３０６が形成されている。
【００４６】
清掃部材３１０は、中間転写体５２に対して中間転写体５２の移動方向と交わる方向で接触し、中間転写体５２から現像剤を除去して中間転写体５２を清掃する清掃部材として用いられている。清掃部材３１０は、例えばゴムや樹脂等の可撓性を有する材料から形成され、一端部側が例えば金属性の支持部材３１８に支持され、支持部材３１８を介して回収部３０２に装着されている。また、清掃部材３１０は、他端部が接触位置Ｐにおいて中間転写体５２に接触し、中間転写体５２を介してバックアップロール３０８に押し付けられている。
【００４７】
封止部材３２０は、例えば可撓性を有するフィルム状の部材が用いられ、中間転写体５２の移動方向において清掃部材３１０よりも上流側に配置されていて、清掃部材３１０によって中間転写体５２の表面から掻き落とされた現像剤が中間転写体用の清掃装置３００の外に漏れ出さないように、回収部３０２と中間転写体５２との間に生じる隙間を封止している。
【００４８】
搬送部材３３０は、清掃部材３１０によって中間転写体５２から除去された現像剤を回収部３０２外に搬送するために用いられていて、螺旋形状の羽根部３３４を有する。搬送部材３３０は、回収部３０２に回転することができるように取り付けられていて、図示を省略する駆動伝達機構から駆動が伝達されることで回転し、清掃部材３１０から掻き落とされた現像剤を排出孔３０４を介して回収部３０２外に搬送する。
【００４９】
搬送部材３３０によって、回収部３０２外に排出された現像剤は、図示を省略する回収部に回収される。
【００５０】
案内部材３４０は、現像剤を回収口３０６へ案内する案内部材として用いられていて、中間転写体５２の両方の縁部に接触するように２つが設けられている。また、案内部材３４０は、矢印ａで示す中間転写体５２の移動方向において、２次転写装置５８よりも下流側であって、上流側の端部が、清掃部材３１０の上流側の端部よりも上流側に位置している（図１も参照）。また、案内部材３４０は、弾性を有し、中間転写体５２と密着しつつ、中間転写体５２との間で摩擦が少ない材料を用いて形成することが望ましく、案内部材３４０の材料としては、例えば発泡体であるスポンジを用いることができる。
【００５１】
案内部材３４０は、回収部３０２に、例えば接着剤を用いる等の方法で取り付けられていて、回収部３０２に取り付けられた側と逆側が中間転写体５２の端部に接触している。このため、中間転写体５２と回収部３０２との間の隙間を封止する機能を有する。すなわち、案内部材３４０は、中間転写体５２と回収部３０２との間の隙間を封止する封止部材として兼用されている。
【００５２】
図５に示されるように、案内部材３４０は、現像剤を案内する案内面３４２を有する。案内面３４２は、矢印ａで示す中間転写体５２の移動方向に対して傾斜して配置されている。また、案内部材３４０は、矢印ａで示す中間転写体５２の移動方向と交わる方向において、清掃部材３１０の端部３１２及び中間転写体の端部よりも一端３４４が外側にあって、他端３４６が清掃部材３１０の内側に位置するように配置されている。また、案内部材３４０は、矢印ａで示す中間転写体５２の移動方向と交わる方向において、他端３４６が画像領域５３内に位置するように配置されている。
【００５３】
また、図５に示されるように、回収口３０６は、矢印ａで示す中間転写体５２の移動方向と交わる方向において、画像領域５３の内側に配置されている。
【００５４】
中間転写体５２は、例えば、支持ロール６２（図１参照）と支持ロール６４（図１参照）とが互いに平行である位置から僅かにずれた状態で取り付けられた等の理由で、矢印ａで示す中間転写体５２が現像剤を搬送する際に移動する方向と交わる方向である矢印ｂの方向に、例えば蛇行するように移動することがある。このように中間転写体５２が移動した場合であっても、案内部材３４０は、矢印ａで示す中間転写体５２の移動方向と交わる方向において、清掃部材３１０の端部３１２及び中間転写体の端部よりも一端３４４が外側にあって、他端３４６が清掃部材３１０の内側に位置するように配置されている。
【００５５】
また、画像領域５３は、中間転写体５２の表面においてイエローの現像剤像、マゼンダの現像剤像、シアンの現像剤像、及び黒の現像剤像をズレることなく重ね合わせるため等の理由により、矢印ａで示す中間転写体５２が現像剤を搬送する際に移動する方向と交わる方向である矢印ｂの方向に移動することがある。このように画像領域５３が移動した場合であっても、案内部材３４０は、矢印ａで示す中間転写体５２の移動方向と交わる方向において、他端３４６が画像領域５３内に位置するように配置されている。
【００５６】
以上のように構成された画像形成装置１０においては、中間転写体５２の縁部や縁部の周辺に現像剤が付着した場合、この付着した現像剤が、案内部材３４０の案内面３４２によって、中間転写体５２の移動方向と交わる方向における中間転写体５２の端部側から中央側へ案内される。そして、中央側に案内された現像剤が清掃部材３１０によって中間転写体５２から掻き取られる。また、画像形成装置１０においては、中間転写体５２の画像領域５３内であって、清掃部材３１０の端部３１２よりも外側の位置に付着した現像剤が、案内部材３４０の案内面３４２によって、中間転写体５２の移動方向と交わる方向における清掃部材３１０の内側に案内される。そして、案内された現像剤が清掃部材３１０によって中間転写体５２から掻き落とされる。
【産業上の利用可能性】
【００５７】
以上で説明をしたように、本発明は、複写機、ファクシミリ装置、プリンター等の画像形成装置と、例えばこれらの画像形成装置に用いられる現像剤除去装置とに適用することができる。
【符号の説明】
【００５８】
１０・・・画像形成装置
５２・・・中間転写体
５３・・・画像領域
５８・・・２次転写装置
３００・・・清掃装置
３０２・・・回収部
３０４・・・排出孔
３０６・・・回収口
３１０・・・清掃部材
３１２・・・外側の端部
３４０・・・案内部材
３４２・・・案内面
３４４・・・一端
３４６・・・他端
【図１】
2012022077.tif 000003
【図２】
2012022077.tif 000004
【図３】
2012022077.tif 000005
【図４】
2012022077.tif 000006
【図５】
2012022077.tif 000007